(57)【要約】【課題】靴を履いたまま手を使用せずに容易に履いたり脱いだりすることのできる履物用スリッパを提供する。【解決手段】前記課題は、（１）履物の底面をのせることができ、外周に上方に突出する外縁堤を有するスリッパ底板、及び（２）前記スリッパ底板に、その前方部分の右側端部と左側端部とで連結され、前記スリッパ底板の上方に配置され、履物を押圧して保持することのできる伸縮性を有する伸縮性バンド、を含む履物用スリッパであって、前記伸縮性バンドは、その中央部で、右側湾曲部及び左側湾曲部に分割され、前記右側湾曲部の分割端部と前記左側湾曲部の分割端部とが伸縮性を有する少なくとも１つの伸縮連結部で連結されていることを特徴とする、履物用スリッパにより解決できる。【選択図】図１
2007289398.tif 000002
【特許請求の範囲】
【請求項１】
（１）履物の底面をのせることができ、外周に上方に突出する外縁堤を有するスリッパ底板、及び
（２）前記スリッパ底板に、その前方部分の右側端部と左側端部とで連結され、前記スリッパ底板の上方に配置され、履物を押圧して保持することのできる伸縮性を有する伸縮性バンド、
を含む履物用スリッパであって、
前記伸縮性バンドは、その中央部で、右側湾曲部及び左側湾曲部に分割され、前記右側湾曲部の分割端部と前記左側湾曲部の分割端部とが伸縮性を有する少なくとも１つの伸縮連結部で連結されていることを特徴とする、履物用スリッパ。
【請求項２】
前記右側湾曲部及び左側湾曲部が伸縮性を有する、請求項１に記載の履物用スリッパ。
【請求項３】
前記スリッパ底板と前記右側湾曲部との結合部分から、前記右側湾曲部のスリッパ底板側に対向する表面に沿って上方に湾曲しながら延び、上方が自由端部である可撓性材料からなる右バンドサポートプレート、及び前記スリッパ底板と前記左側湾曲部との結合部分から、前記左側湾曲部のスリッパ底板側に対向する表面に沿って上方に湾曲しながら延び、上方が自由端部である可撓性材料からなる左バンドサポートプレートを有する、請求項１又は２に記載の履物用スリッパ。
【請求項４】
前記右バンドサポートプレート及び左バンドサポートプレートのスリッパ底板側に対向する表面に、履物保護用の裏打ち層を担持して有する請求項３に記載の履物用スリッパ。
【発明の詳細な説明】
【技術分野】
【０００１】
本発明は、履物用スリッパに関する。本発明の履物用スリッパは、履物を履いたままの状態で履くことができるため、室内を汚さずに歩行することが可能である。また、この履物用スリッパは、手を使わずに容易に履くことができる。
【背景技術】
【０００２】
靴を履く動作は、革靴の場合は靴べらを使い、紐靴の場合は紐を結んだり、ブーツを履く場合はチャックを開けたり閉めたりするため、結構手間のかかるものである。同様に、靴を脱ぐ動作も、手を使ったり、紐を解いたり、チャックを開けたりして手間の掛かるものである。さて、外出などの際に、手間をかけて靴を履いた後で、部屋の中に忘れ物などの用事を思い出した場合は、一旦靴を脱ぎ室内の用事を済ませた後に、再び同じような手間をかけて靴を履かなければならず、かなり煩わしいものである。
このような場合に、靴を脱がずに部屋に入ることができれば便利である。そのような道具としては、室内履き用靴カバー（特許文献１）や靴用スリッパ（特許文献２）などが提案されている。しかしながら、いずれも着脱の際に手を使う必要があるため、簡単に履いたり、脱いだりすることができない。
【特許文献１】登録実用新案第３０１５６０７号公報
【特許文献２】特開平７−１１６００１号公報
【発明の開示】
【発明が解決しようとする課題】
【０００３】
従って、本発明の課題は、靴を履いたまま容易に着脱することができ、特に手を使用せずに容易に着脱することができ、室内に入ることのできる履物用スリッパを提供することにある。
【課題を解決するための手段】
【０００４】
前記課題は、本発明による、（１）履物の底面をのせることができ、外周に上方に突出する外縁堤を有するスリッパ底板、及び
（２）前記スリッパ底板に、その前方部分の右側端部と左側端部とで連結され、前記スリッパ底板の上方に配置され、履物を押圧して保持することのできる伸縮性を有する伸縮性バンド、
を含む履物用スリッパであって、
前記伸縮性バンドは、その中央部で、右側湾曲部及び左側湾曲部に分割され、前記右側湾曲部の分割端部と前記左側湾曲部の分割端部とが伸縮性を有する少なくとも１つの伸縮連結部で連結されていることを特徴とする、履物用スリッパによって解決することができる。
【０００５】
本発明の履物用スリッパの好ましい態様においては、前記右側湾曲部及び左側湾曲部が伸縮性を有する。
また、本発明の履物用スリッパの好ましい態様においては、前記スリッパ底板と前記右側湾曲部との結合部分から、前記右側湾曲部のスリッパ底板側に対向する表面に沿って上方に湾曲しながら延び、上方が自由端部である可撓性材料からなる右バンドサポートプレート、及び前記スリッパ底板と前記左側湾曲部との結合部分から、前記左側湾曲部のスリッパ底板側に対向する表面に沿って上方に湾曲しながら延び、上方が自由端部である可撓性材料からなる左バンドサポートプレートを有する。
更に、本発明の履物用スリッパの好ましい態様においては、前記右バンドサポートプレート及び左バンドサポートプレートのスリッパ底板側に対向する表面に、履物保護用の裏打ち層を担持して有する。
なお、本発明の履物用スリッパの説明において、「前方」及び「後方」は、履物を履いた状態で、つま先側を前方とし、踵側を後方とする。また、「上方」及び「下方」も履物を履いた状態で上側を上方とし、下側を下方と、「右側」及び「左側」も履物を履いた状態で右側を右側とし、左側を左側とするものであり、履物を履かない状態での、前方、後方、上方、下方、右側、及び左側を限定するものではない。
【発明の効果】
【０００６】
本発明の履物用スリッパは、履物を履いたままの状態で履くことができるため、室内を汚さずに歩行することが可能である。また、この履物用スリッパは、着脱が容易であり、特に手を使わずに容易に履くことができる。
【発明を実施するための最良の形態】
【０００７】
本発明の履物用スリッパの一態様について、添付図によって以下に説明する。図１は、本発明による履物用スリッパ１０を模式的に示す斜視図であり、図２は図１に示す履物用スリッパ１０の模式的な分解斜視図である。なお、本発明の履物用スリッパは、特に右足用及び左足用の区別なく使用可能であるため、以下の説明において、特に断りのない限り、右足用及び左足用の共通の説明とする。
【０００８】
図１及び図２に示すように、本発明の履物用スリッパ１０は、履物が載るスリッパ底板５を有している。このスリッパ底板５の形状は特に限定されないが、履物の底の全体が完全に前記スリッパ底板の上に載り、はみ出さないほうが好ましいため、長楕円形が好ましい。また、大きさも特に限定されないが、様々なサイズの履物を載せることができるように、比較的大きな面積を有している方が好ましい。例えば、子供用であるなら、１５ｃｍ〜２２ｃｍ程度の履物が完全に載る大きさ、すなわち縦方向の長さ２３ｃｍ程度で、幅が８ｃｍ程度、大人の女性用であるなら、２２ｃｍ〜２６ｃｍくらいの履物が載る大きさ、すなわち縦方向の長さ２８ｃｍ程度で幅が１０ｃｍ程度、大人の男性用であるなら、２５ｃｍ〜２８ｃｍくらいの履物が載る大きさ、すなわち縦方向の長さ３２ｃｍ程度で幅が１２ｃｍ程度の大きさにすることができる。この様な大きさを採用することにより、１つの履物用スリッパにより大きさの異なる履物に対応することが可能である。
【０００９】
スリッパ底板５の材料は特に限定されないが、外で履くための履物の外側の底を載せるため、形状維持性を有する硬質材料（例えば、ゴム、エラストマー、プラスチック）又は軟質材料（例えば、ゴム、エラストマー、プラスチック）などが挙げられる。また外部の汚れが付着することがあるので、汚れを容易に除去できるような材料が好ましい。また、スリッパ底板５は、１枚の板でもよいが、複数枚の板を積層させたものでもよい。
【００１０】
前記スリッパ底板５の外周には、上方に突出する外縁提６が設けられている。この外縁提６は、履物用スリッパを履いて、室内を歩行している際に、履物の底に付着した泥等の汚れをスリッパの外に出さないようにするためのものである。そのため、高さが低すぎると履物の底面についた泥などが外に出てしまい好ましくなく、逆に高さが高すぎると履物用スリッパを着脱するときに邪魔になる。従って、外縁提６の高さは、前記スリッパ底板５の面の高さから、好ましくは２ｍｍ〜２．５ｃｍ、より好ましくは３ｍｍ〜１ｃｍの高さである。
【００１１】
前記外縁提６の材料は特に限定されないが、形状維持性を有する硬質材料（例えば、ゴム、エラストマー、プラスチック）又は軟質材料（例えば、ゴム、エラストマー、プラスチック）などが好ましい。前記スリッパ底板５と外縁提６とは、一般的には接着剤で添付されているか、材料によっては縫合により結合することもできる。また、前記スリッパ底板５と外縁提６は、金型により一体成型することも可能である。
【００１２】
本発明の履物用スリッパは、通常のスリッパにおいて横断バンドを設ける位置に、伸縮性バンド１を有している。この伸縮性バンド１は、右側湾曲部１Ｒと左側の左側湾曲部１Ｌと伸縮連結部３とからなる。この伸縮性バンド１は、右側湾曲部１Ｒ及び左側湾曲部１Ｌに分割され、伸縮性バンド１の中央部領域で、右側湾曲部１Ｒの分割端部１１Ｒ及び左側湾曲部１Ｌの分割端部１１Ｌが、伸縮連結部３で連結されている。
【００１３】
前記右側湾曲部１Ｒは、接着剤又は縫合等により、スリッパ底板５の右側端に、左側湾曲部１Ｌは、スリッパ底板５の左側端に結合することができる。右側湾曲部１Ｒ及び左側湾曲部１Ｌは、図１のように外縁提６の内側に設けることもできるが、外縁提６の外側に設けることも可能である。
【００１４】
右側湾曲部１Ｒ及び左側湾曲部１Ｌのそれぞれの分割端部１１Ｒ及び分割端部１１Ｌの形状は特に限定されないが、通常は、図１のような直線の形状、又は波形や弧状の緩やかなカーブを有する形状をとることも可能である。本明細書で、「右側の右側湾曲部１Ｒ及び左側の左側湾曲部１Ｌに分割され」とは、１本の伸縮性バンド１を、２つに切断することによって、分割する意味だけでなく、単に２つに別れている意味を含む。そのため、前記右側湾曲部１Ｒ及び左側湾曲部１Ｌの分割端部は、それぞれの分割端部１１Ｒと分割端部１１Ｌを合わせると完全に一致する形状でなくてもよく、左右の端部が異なる形状を有していてもよい。また、右側湾曲部１Ｒ及び左側湾曲部１Ｌは、任意の模様を施したり、機能に影響を与えない範囲で形状を変化させることにより、意匠性を高めることも可能である。
【００１５】
右側湾曲部１Ｒ及び左側湾曲部１Ｌは、図１に示すように、通常、前方側に前方端部１２Ｒ，１２Ｌを有しており、履物を履いたまま本発明の履物用スリッパを着用した場合は、履物のつま先が見える形状であるが、左右の前方端部１２Ｒ，１２Ｌが、つま先まで延びてつま先部分で結合し、履物のつま先部分を覆うスリッパの形状になっていてもよい。しかしながら、このように右側湾曲部１Ｒ及び左側湾曲部１Ｌの前方端部１２Ｒ，１２Ｌがつま先部分で結合する場合でも、結合箇所はつま先部分の一部であり、右側湾曲部１Ｒ及び左側湾曲部１Ｌの上方の分割端部を有しており、その分割端部は伸縮連結部３により連結されている。
【００１６】
図３は、III−III線断面図である。図３に示すように、右側湾曲部１Ｒ、左側湾曲部１Ｌ及び連結伸縮材３によりスリッパ底板５の上方にアーチ状の形状が形成される。このアーチ状の形状が形成されることにより、履物用スリッパを履く場合に、履物を履いたままで、手を使用せずに容易に物用スリッパを履くことが可能になる。
【００１７】
前記右側湾曲部１Ｒの分割端部１１Ｒ及び左側湾曲部１Ｌの分割端部１１Ｌの間の分割端部間隙２は、好ましくは０．１ｃｍ〜３ｃｍ、より好ましくは０．５ｃｍ〜２．０ｃｍ、最も好ましくは、１ｃｍ〜１．５ｃｍ程度で、伸縮連結部３、例えば板状のゴム紐又はひも状のゴム紐により連結されている。前記伸縮連結部３の数は特に限定されないが、好ましくは１本以上で２０本以下であり、３本以上８本以下がより好ましい。この伸縮連結部３は接着剤又は縫合により右側湾曲部１Ｒ及び左側湾曲部１Ｌに結合させることができるが、右側湾曲部１Ｒの分割端部１１Ｒ部分及び左側湾曲部１Ｌの分割端部１１Ｌ部分に孔を開けてその孔に、例えばゴム紐を通して結合させることも可能である。この場合は、１本の長いゴム紐で、連続して右側湾曲部１Ｒ及び左側湾曲部１Ｌの孔を通して結びつけ、結合させることも可能である。
【００１８】
右側湾曲部１Ｒ及び左側湾曲部１Ｌは、伸縮しない材料で作成することも可能であるが、伸縮性の材料で作成することも可能である。右側湾曲部１Ｒ及び左側湾曲部１Ｌ並びに伸縮連結部で形成されるアーチ状の形状を維持するために、後述するバンドサポートプレート７を用いない場合には、例えば、比較的厚めの繊維材料を用いるほうが好ましい。
【００１９】
一方、前記右側湾曲部１Ｒ及び左側湾曲部１Ｌの間の分割端部間隙２を連結する伸縮連結部３の材料としては、伸縮性材料、例えば、板状や円形状のゴム紐を用いることができる。伸縮連結部３には、前記右側湾曲部１Ｒ及び左側湾曲部１Ｌより容易に伸縮することのできる材料を用いるほうが好ましい。
【００２０】
前記右側湾曲部１Ｒ及び左側湾曲部１Ｌに形状維持可能な材料を用い、分割端部間隙２を、易伸縮性の伸縮連結部３で連結することにより、前記のアーチ状の形状が維持され、手を使わずに容易に本発明の履物用スリッパを履くことが可能である。また、分割端部間隙２を易伸縮性材料で連結することにより、分割端部間隙２を容易に開いたり狭めたりすることが可能になり、履物を履いた状態での高さ調節が容易になり、前記伸縮性バンド１により、様々な大きさの靴を押圧して保持することが可能である。
【００２１】
更に、前記右側湾曲部１Ｒ及び左側湾曲部１Ｌを支え、前記右側湾曲部１Ｒ、左側湾曲部１Ｌ及び連結伸縮材３で形成されるアーチ状の形状を安定させるために、前記右側湾曲部１Ｒ及び左側湾曲部１Ｌのスリッパ底板側５に対向する表面に沿って、右バンドサポートプレート７Ｒ、及び左バンドサポートプレート７Ｌを設けることが好ましい。この右バンドサポートプレート７Ｒ、及び左バンドサポートプレート７Ｌの大きさ及び形態は、特に限定されるものではないが、右側湾曲部１Ｒ及び左側湾曲部１Ｌと同じ大きさか又はそれより小さいものが好ましい。以下、左右のバンドサポートプレートに共通の説明を行う場合は、バンドサポートプレート７と称して説明する。
【００２２】
このバンドサポートプレート７は、非伸縮性の可撓性材料であることが好ましい。非伸縮性の可撓性材料を用いることにより、前記右側湾曲部１Ｒ、左側湾曲部１Ｌ及び連結伸縮材３で形成されるアーチ状の形状を維持することが可能である。このバンドサポートプレート７を設ける場合は、右側湾曲部１Ｒ及び左側湾曲部１Ｌは、前記アーチ部の形状を維持する機能は不要であるため、形状維持機能を有しない材料、例えば薄い繊維材料を用いることも可能になる。
【００２３】
右バンドサポートプレート７Ｒ、及び左バンドサポートプレート７Ｌの上部の端部は自由端部であり、それぞれの自由端部は若干重なってもよいが、図３に示すようにそれぞれの自由端部の間に間隙を有する方が好ましい。しかしながら、間隙が広すぎて、実質上伸縮性バンド１を支える機能を有しないものは好ましくない。また、右バンドサポートプレート７Ｒと左バンドサポートプレート７Ｌの上部の端部が結合した場合は、前記伸縮性バンド１が伸縮せず、前記アーチの大きさが固定され、この履物用スリッパに適用できる履物の大きさが限定されてしまうため、好ましくない。右バンドサポートプレート７Ｒ及び左バンドサポートプレート７Ｌの上部端部が自由端部であり、バンドサポート帯７と伸縮性バンド１が結合していないことにより、前記伸縮性バンド１及び伸縮連結部３の伸縮を妨げることがなく、様々な大きさの履物に適用することが可能である。
【００２４】
バンドサポートプレート７が支える伸縮性バンド１は、伸縮することができるが、バンドサポートプレート７自体は伸縮する必要がないため、伸縮性バンド１とバンドサポートプレート７の接触面は結合させない方が好ましい。
【００２５】
このバンドサポートプレート７を有することにより、前記右側湾曲部１Ｒ及び左側湾曲部１Ｌが形状維持機能を有しない場合でも、前記アーチ状の形態が安定させることが可能であり、履物用スリッパを履く場合に、履物を履いたままで手を使用せずに容易に物用スリッパを履くことが可能になる。また、右バンドサポートプレート７Ｒ及び左バンドサポートプレート７Ｌの上部の端部は自由端部であるため、前記右側湾曲部１Ｒ及び左側湾曲部１Ｌの間の分割端部間隙２を容易に開いたり狭めたりすることが可能になり、履物を履いた状態での高さ調節が容易になり、前記伸縮性バンド１により、様々な大きさの靴を押圧して保持することが可能である。
【００２６】
更に、本発明の履物用スリッパは、前記右バンドサポートプレート７Ｒ及び左バンドサポートプレート７Ｌのスリッパ底板側に対向する表面に、履物保護用の裏打ち層を担持して有することができる。この右裏打ち層８Ｒ及び左裏打ち層８Ｌにより、履物と可塑性材料からなるバンドサポート帯７とが直接接触することを防ぎ、革靴などの履物に傷がつくことを防止することができる。裏打ち層の大きさ及び形態は、特に限定されないが、右バンドサポートプレート７Ｒ及び左バンドサポートプレート７Ｌと履物が直接接触することを防ぐため、右バンドサポートプレート７Ｒ及び左バンドサポートプレート７Ｌをカバーできる大きさ及び形態を有することが好ましい。
【００２７】
この裏打ち層８は、履物を保護するため、例えばフェルトなどのやわらかい材料で作ることが好ましい。そのためそれ自体では形状維持機能を有さないことが多いため、右バンドサポートプレート７Ｒ及び左バンドサポートプレート７Ｌに接着剤などで結合させることが好ましい。
【００２８】
本発明の履物用スリッパを利用できる履物は、特に限定されないが、運動靴、ビジネスシューズ、カジュアルシューズ、スポーツシューズ、ブーツなどが適用可能であり、その材料も、特に限定されない。
【００２９】
本発明の履物用スリッパを使用する場合は、履物を履いたまま、スリッパ底板５及び図１に示した伸縮性バンド１によって形成されたアーチの下側に、履物のつま先を矢印Ｐの方向に挿入し、伸縮バンド１により押圧され、保護された履物が止まった状態で使用することが可能である。
【００３０】
更に、本発明の履物用スリッパを使用する場所は、住宅のみでなく、公共の公民館、学校の体育館などで利用することが可能である。
【産業上の利用可能性】
【００３１】
本発明の履物用スリッパは、住宅などの家庭で床面を汚さずに室内に入りたい場合に使用することができる。また、公共の建物などの床面を汚したくない場所などで、履物を履いたまま利用することも可能である。
【図面の簡単な説明】
【００３２】
【図１】本発明の履物用スリッパの一態様を模式的に示す斜視図である。
【図２】図１に示す本発明の履物用スリッパの一態様を模式的に示す分解斜視図である。
【図３】図１のIII−III線での断面図である。
【符号の説明】
【００３３】
１・・・伸縮性バンド；１Ｒ・・・右側湾曲部；１Ｌ・・・左側湾曲部；
１１Ｒ，１１Ｌ・・・分割端部；１２Ｒ，１２Ｌ・・・前方端部
２・・・分割端部間隙；
３・・・伸縮連結部；
５・・・スリッパ底板；６・・・外縁堤；
７Ｒ・・・右バンドサポートプレート；７Ｌ・・・左バンドサポートプレート；
８Ｒ・・・右裏打ち層；８Ｌ・・・左裏打ち層；
１０・・・履物用スリッパ；
【図１】
2007289398.tif 000003
【図２】
2007289398.tif 000004
【図３】
2007289398.tif 000005